(57)【要約】  【課題】  電解コンデンサの小型化。  【解決手段】  所定時間内の停電後に点灯制御回路１１の出力信号により放電灯３の点灯状態を変化させ、所定時間外の停電後に前記点灯制御回路１１の出力信号により前記放電灯３の点灯状態を変化させない放電灯点灯装置において、停電検出回路１３の作動により制御電源電圧切替回路１０により制御電源回路８の出力電圧を制御回路７が実質動作しなく、点灯制御回路１１は少なくとも前記所定時間に渡って動作継続する電圧に降下させる。なお、コイルL1、スイッチング素子Q1、ダイオードD1をもつチョッパーはなくてもいが、チョッパーを備えている場合、チョッパーの制御回路６にも制御電源回路８の出力電圧が供給される。【選択図】  図１
2005197066.tif 000002
【特許請求の範囲】
【請求項１】
交流電源の整流平滑回路と、この整流平滑回路の出力を高周波変換するインバータと、このインバータにより点灯される放電灯と、前記インバータを制御する制御回路と、この制御回路を制御する点灯制御回路と、前記制御回路に電源供給する制御電源回路と、この制御電源回路の電圧を降下させて点灯制御回路に電源供給するドロッパー電源回路と、前記交流電源の停電検出回路と、この停電検出回路の出力により前記制御電源回路の出力電圧を制御する制御電源電圧切替回路とを備え、所定時間内の停電後に前記点灯制御回路の出力信号により前記放電灯の点灯状態を変化させ、所定時間外の停電後に前記点灯制御回路の出力信号により前記放電灯の点灯状態を変化させない放電灯点灯装置において、前記停電検出回路の作動により前記制御電源電圧切替回路により前記制御電源回路の出力電圧を前記制御回路が実質動作しなく、前記点灯制御回路は少なくとも前記所定時間に渡って動作継続する電圧に降下させる放電灯点灯装置。
【発明の詳細な説明】
【技術分野】
【０００１】
本発明は、放電灯点灯装置に関する。
【背景技術】
【０００２】
交流電源の整流平滑回路と、この整流平滑回路の出力を高周波変換するインバータと、このインバータにより点灯される放電灯と、前記インバータを制御する制御回路と、この制御回路を制御する点灯制御回路と、前記制御回路に電源供給する制御電源回路と、この制御電源回路の電圧を降下させて点灯制御回路に電源供給するドロッパー電源回路と、前記交流電源の停電検出回路とを備え、所定時間内の停電後に前記点灯制御回路の出力信号により前記放電灯の点灯状態を変化させ、所定時間外の停電後に前記点灯制御回路の出力信号により前記放電灯の点灯状態を変化させない放電灯点灯装置において、前記停電検出回路の作動中にも前記制御電源回路の出力電圧を、前記制御回路及び点灯制御回路が少なくとも前記所定時間に渡って動作継続されるようにした放電灯点灯装置は公知である。
【発明の開示】
【発明が解決しようとする課題】
【０００３】
そうすると、制御電源回路に電源供給する整流平滑回路の平滑コンデンサの容量を相当大きくして停電時にも電圧をある程度以上保持する必要があり、その電解コンデンサの大型化を招き、コストアップに成っていた。本発明はこのような解決すべき課題を鑑み、電解コンデンサの小型化を目的とする。
【課題を解決するための手段】
【０００４】
本発明を要約すると、交流電源の整流平滑回路と、この整流平滑回路の出力を高周波変換するインバータと、このインバータにより点灯される放電灯と、前記インバータを制御する制御回路と、この制御回路を制御する点灯制御回路と、前記制御回路に電源供給する制御電源回路と、この制御電源回路の電圧を降下させて点灯制御回路に電源供給するドロッパー電源回路と、前記交流電源の停電検出回路と、この停電検出回路の出力により前記制御電源回路の出力電圧を制御する制御電源電圧切替回路とを備え、所定時間内の停電後に前記点灯制御回路の出力信号により前記放電灯の点灯状態を変化させ、所定時間外の停電後に前記点灯制御回路の出力信号により前記放電灯の点灯状態を変化させない放電灯点灯装置において、前記停電検出回路の作動により前記制御電源電圧切替回路により前記制御電源回路の出力電圧を前記制御回路が実質動作しなく、前記点灯制御回路は少なくとも前記所定時間に渡って動作継続する電圧に降下させる放電灯点灯装置である。
【発明の効果】
【０００５】
本発明によれば、電解コンデンサの小型化、低コスト化が可能となる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１の実施形態は、交流電源１の整流２・チョッパーを含む平滑回路C2と、この整流平滑回路の出力を高周波変換するインバータ１２と、このインバータ１２により点灯される放電灯３と、前記インバータ１２を制御する制御回路７と、この制御回路７を制御する点灯制御回路１１と、前記制御回路７に電源供給する制御電源回路８と、この制御電源回路８の電圧を降下させて点灯制御回路１１に電源供給するドロッパー電源回路９と、前記交流電源１の停電検出回路１３と、この停電検出回路１３の出力により前記制御電源回路８の出力電圧を制御する制御電源電圧切替回路１０とを備え、所定時間内の停電後に前記点灯制御回路１１の出力信号により前記放電灯３の点灯状態を変化させ、所定時間外の停電後に前記点灯制御回路１１の出力信号により前記放電灯３の点灯状態を変化させない放電灯点灯装置において、前記停電検出回路１３の作動により前記制御電源電圧切替回路１０により前記制御電源回路８の出力電圧を前記制御回路７が実質動作しなく、前記点灯制御回路１１は少なくとも前記所定時間に渡って動作継続する電圧に降下させる放電灯点灯装置である。なお、コイルL1、スイッチング素子Q1、ダイオードD1をもつチョッパーはなくてもよいが、チョッパーを備えている場合、チョッパーの制御回路６にも制御電源回路８の出力電圧が供給される。また、制御回路６、７は各々駆動回路４、５を介してチョッパーとインバータ１２を各々駆動している。
【０００８】
動作を説明すれば、制御電源回路８の出力電圧VCCは通常12Vで、この電圧をドロッパー電源回路９にてVDDとして約5Vに降下している。部屋の壁スイッチなどを開いて所定時間内(１〜２秒以内)に閉じるまでの停電継続時に、制御電源回路８の出力電圧VCCは制御電源電圧切替回路１０に制御されて約6Vに降下する。そうすると、前記点灯制御回路１１は動作継続して停電継続時間を継続計測でき、復電後、点灯制御回路１１の出力信号により前記放電灯３の点灯状態を例えば全光から調光に変化させる。そして、この停電継続時には制御回路６、７は作動しなくなり、無用な消費電力が減り、電解コンデンサC2は小容量のものでよい。また、所定時間外の停電後(長時間停電後)には前記点灯制御回路１１の出力信号により前記放電灯３の点灯状態を変化させないようにしている。
【０００９】
さらに具体化した図２の回路例では、制御電源回路８の定電圧化に帰還増幅器１４を用いた回路において、出力電圧をR1,R2で抵抗分圧し、帰還増幅器１４にて制御回路１５に入力して出力電圧を定電圧する構成の場合、抵抗R2に抵抗R3と停電信号を受けて動作するスイッチ素子Q5を直列接続したものを並列接続し、停電検知回路１３からの信号によりスイッチ素子Q5をOFFさせることにより、分圧比を変化させ、出力電圧VCCを低下させるようにしている。通常時のVCC＝Vr(1+R1/(R2//R3))は、停電時にVCC＝Vr(1+R1/R2)と電圧降下する。また、図３の回路例では、制御電源回路８の定電圧化にツェナーダイオードを用いた回路において、出力電圧をツェナーダイオードを介してスイッチング素子制御回路１６に帰還させ定電圧化する構成で、ツェナーダイオードZD1とZD2を直列接続し、定常時必要な電圧（ZD1+ZD2電圧)を得るように設定し、停電検知回路１３からの信号により動作するスイッチ素子Q5をZD2と並列接続し、スイッチ素子Q5がONしたとき出力電圧VCCを低下させるように設定している。
【００１０】
本実施形態によれば、電解コンデンサC2を小型化、低コスト化可能である。
【図面の簡単な説明】
【００１１】
【図１】本発明の実施形態を示す回路図
【図２】本発明の他の実施形態を示す回路図
【図３】本発明のさらに他の実施形態を示す回路図
【符号の説明】
【００１２】
１  交流電源
２  整流
C2  平滑回路(平滑コンデンサ)
１２  インバータ
３  放電灯
７  制御回路
１１  点灯制御回路
８  制御電源回路
９  ドロッパー電源回路
１３  停電検出回路
１０  制御電源電圧切替回路
【図１】
2005197066.tif 000003
【図２】
2005197066.tif 000004
【図３】
2005197066.tif 000005